(57)【要約】【課題】下流側電路についての被測定量の測定作業を短時間で容易に実施可能とする。【解決手段】基幹電路Ｌａについての電流値を特定可能な測定値データＤ１ａを生成して携帯情報端末２Ａに出力する第１の処理を繰り返し実行可能な測定装置１Ａと、分岐電路Ｌｂ，Ｌｃについての電流値を特定可能な測定値データＤ１ｂを生成して携帯情報端末２Ｂに出力する第２の処理を実行可能な測定装置１Ｂと、測定装置１Ａから取得した測定値データＤ１ａを携帯情報端末２Ｂに出力する第３の処理を繰り返し実行可能な携帯情報端末２Ａと、携帯情報端末２Ａから出力された測定値データＤ１ａに基づいて特定される電流値を表示部に表示させる第４の処理を繰り返し実行可能に構成されると共に、測定装置１Ｂから取得した測定値データＤ１ｂに基づいて特定される電流値を表示部に表示させる第５の処理を実行可能な携帯情報端末２Ｂとを備えている。【選択図】図１
2020060492.tif 000002
【特許請求の範囲】
【請求項１】
上流側電路から分岐した複数の下流側電路についての予め規定された被測定量をそれぞれ測定可能に構成された測定システムであって、
前記上流側電路についての前記被測定量を測定して当該被測定量を特定可能な第１の測定値データを生成し、生成した当該第１の測定値データを第１の外部装置に出力する第１の処理を繰り返し実行可能に構成された第１の測定装置と、
前記下流側電路についての前記被測定量を測定して当該被測定量を特定可能な第２の測定値データを生成し、生成した当該第２の測定値データを第２の外部装置に出力する第２の処理を実行可能に構成された第２の測定装置と、
前記第１の測定装置から前記第１の測定値データを取得して前記第２の外部装置に出力する第３の処理を繰り返し実行可能に構成された前記第１の外部装置としての第１のデータ処理装置と、
表示部を備え、かつ前記第１のデータ処理装置から出力された前記第１の測定値データを取得して当該第１の測定値データに基づいて特定される前記上流側電路についての前記被測定量を前記表示部に表示させる第４の処理を繰り返し実行可能に構成されると共に、前記第２の測定装置から前記第２の測定値データを取得して当該第２の測定値データに基づいて特定される前記下流側電路についての前記被測定量を前記表示部に表示させる第５の処理を実行可能に構成された前記第２の外部装置としての第２のデータ処理装置とを備えている測定システム。
【請求項２】
前記第２のデータ処理装置は、前記第１の測定値データに基づいて特定される前記上流側電路についての前記被測定量が予め規定された第１の報知基準を満たす値のときに、当該上流側電路についての当該被測定量が当該第１の報知基準を満たす値であることを特定可能に報知する第６の処理を実行可能に構成されている請求項１記載の測定システム。
【請求項３】
前記第２のデータ処理装置は、前記第２の測定値データに基づいて特定される前記下流側電路についての前記被測定量が、前記第１の測定値データに基づいて特定される前記上流側電路についての前記被測定量に対する予め規定された第２の報知基準を満たす値のときに、当該下流側電路についての当該被測定量が当該第２の報知基準を満していることを特定可能に報知する第７の処理を実行可能に構成されている請求項１または２記載の測定システム。
【請求項４】
前記第１のデータ処理装置と前記第２のデータ処理装置との間に無線通信路が介在するように構成されている請求項１から３のいずれかに記載の測定システム。
【請求項５】
上流側電路から分岐した複数の下流側電路についての予め規定された被測定量をそれぞれ測定可能に構成され、前記上流側電路についての前記被測定量を測定して当該被測定量を特定可能な第１の測定値データを生成し、生成した当該第１の測定値データを第１の外部装置に出力する第１の処理を繰り返し実行可能に構成された第１の測定装置と、前記下流側電路についての前記被測定量を測定して当該被測定量を特定可能な第２の測定値データを生成し、生成した当該第２の測定値データを第２の外部装置に出力する第２の処理を実行可能に構成された第２の測定装置と、前記第１の測定装置から前記第１の測定値データを取得して前記第２の外部装置に出力する第３の処理を繰り返し実行可能に構成された前記第１の外部装置としての第１のデータ処理装置と、表示部を備えた前記第２の外部装置としての第２のデータ処理装置とを備えている測定システムにおける当該第２のデータ処理装置に対して、前記第１のデータ処理装置から出力された前記第１の測定値データを取得して当該第１の測定値データに基づいて特定される前記上流側電路についての前記被測定量を前記表示部に表示させる第４の処理を繰り返し実行させると共に、前記第２の測定装置から前記第２の測定値データを取得して当該第２の測定値データに基づいて特定される前記下流側電路についての前記被測定量を前記表示部に表示させる第５の処理を実行させるデータ処理用プログラム。
【発明の詳細な説明】
【技術分野】
【０００１】
本発明は、上流側電路から分岐した複数の下流側電路についての予め規定された被測定量をそれぞれ測定可能に構成された測定システム、および測定システムのデータ処理装置にデータ処理を実行させるデータ処理用プログラムに関するものである。
【背景技術】
【０００２】
下記の特許文献には、漏電電流を測定可能に構成されたクランプ式無線漏電電流計（以下、単に「電流計」ともいう）の考案が開示されている。この電流計は、電線をクランプ可能なクランプ式電流検知コア（以下、「クランプセンサ」ともいう）と、クランプセンサに接続された測定部（検出信号をＡ／Ｄ変換処理を実行する変換部）とを備えている。
【０００３】
また、この電流計は、異なる建屋（工場）内に設置された各種の対象物（電路）についての漏電検査、および測定値の読み取りが困難な対象物（暗所に設置されている対象物等）を対象とする漏電検査などを考慮した構成が採用されている。具体的には、この電流計では、測定部からの出力信号の信号レベルが、レベル設定部からの出力信号の信号レベルを下回っている状態（漏電が発生していない正常状態）と、測定部からの出力信号の信号レベルが、レベル設定部からの出力信号の信号レベル以上の状態（漏電が発生している異常状態）とのいずれであるかが判別され、その判別結果を特定可能な信号が送信用無線部から既存のトランシーバに対して送信される構成が採用されている。
【０００４】
このような電流計を用いて、例えば、互いに離間した位置に存在するＡ工場からＤ工場の配電設備において漏電が発生しているかを検査するには、各工場への送電元である変電所に上記の電流計を設置して各工場への電線路の最上流部（基幹電路）において異常電流を測定させる。また、作業者は、電流計からの信号を受信可能なトランシーバと、変電所に設置した電流計以外の電流計（例えば、同文献の考案に係る電流計とは異なる既存のクランプ式電流計）とを携行して各工場における異常電流の有無を順次検査する。
【０００５】
具体的には、一例として、Ａ工場からＣ工場において漏電が発生していない状態でＤ工場において漏電が発生しているときには、このＤ工場の漏電に起因して、変電所に設置した電流計によって異常電流が検出される。これにより、変電所に設置した電流計から異常状態を示す信号が送信される結果、トランシーバを携行している作業者は、Ａ工場からＤ工場のいずれかにおいて漏電が発生していると認識する。この際に、作業者が、異常電流の有無をＡ工場から順次検査したときにはＡ工場、Ｂ工場およびＣ工場においては異常電流に対応する電流値が測定されず、Ｄ工場におおいて異常電流に対応する電流値が測定される。これにより、漏電の発生箇所がＤ工場であると特定される。
【先行技術文献】
【特許文献】
【０００６】
【特許文献１】登録実用新案公報第３０５６３６８号（第５−１１頁、第１−３図）
【発明の概要】
【発明が解決しようとする課題】
【０００７】
ところが、上記先行技術文献に開示されている電流計には、以下のような解決すべき問題点が存在する。
【０００８】
具体的には、上記先行技術文献に開示の電流計では、測定した電流値に基づいて異常電流の有無（漏電の有無）が判別されて、異常電流が検出される状態であること（漏電が発生していること）を特定可能な信号、および異常電流が検出されない状態であること（漏電が発生していないこと）を特定可能な信号のいずれかを送信用無線部から既存のトランシーバなどに送信する構成が採用されている。この場合、上記先行技術文献に開示の電流計では、異常電流が検出されているか否かを特定可能な信号が送信されるだけであるため、トランシーバを携行している作業者は、変電所においてどの程度の大きさの異常電流が検出されているかを把握することができない。
【０００９】
したがって、前述の例とは異なり、例えば、変電所に設置した電流計から異常状態を示す信号が出力されている状態においてＡ工場から順次測定作業を行う際に、Ａ工場において異常電流が測定されたときには、Ａ工場において漏電が発生していることを特定できるものの、Ａ工場において測定された異常電流の電流値が、変電所に設置した電流計によって検出されている異常電流と一致するかを特定できない。このため、Ａ工場における測定作業を完了した時点においては、測定作業を行っていないＢ工場からＤ工場において漏電が発生している可能性を否定することができない。
【００１０】
このように、異常電流が検出されているか否かを特定可能な信号を出力する上記先行技術文献に開示の電流計を用いた漏電検査時には、その電流計を設置した変電所から電力を供給するすべての工場について異常電流の測定作業を漏れなく実施する必要があり、例えば、Ａ工場のみにおいて漏電が発生しているときには、Ｂ工場からＤ工場における測定作業が無駄となる。このため、漏電検査に長い時間を要すると共に、作業者の負担が非常に大きいという問題点が存在する。
【００１１】
なお、漏電検査を目的として構成された電流計に存在する課題について説明したが、上流側電路から分岐した複数の下流側電路を対象として、異常電流以外の任意の被測定量について影響が及んでいる電路を特定する場合にも、上記の電流計のように被測定量が規定量を下回っているか否かだけを特定可能な信号（被測定量の大きさを特定できない信号）を出力する構成の測定装置を使用したときには、上記の電流計を用いた漏電検査時と同様の問題が生じる。
【００１２】
本発明は、かかる解決すべき問題点に鑑みてなされたものであり、上流側電路から分岐した複数の下流側電路についての被測定量の測定作業を短時間で容易に実施し得る測定システムおよびデータ処理用プログラムを提供することを主目的とする。
【課題を解決するための手段】
【００１３】
上記目的を達成すべく、請求項１記載の測定システムは、上流側電路から分岐した複数の下流側電路についての予め規定された被測定量をそれぞれ測定可能に構成された測定システムであって、前記上流側電路についての前記被測定量を測定して当該被測定量を特定可能な第１の測定値データを生成し、生成した当該第１の測定値データを第１の外部装置に出力する第１の処理を繰り返し実行可能に構成された第１の測定装置と、前記下流側電路についての前記被測定量を測定して当該被測定量を特定可能な第２の測定値データを生成し、生成した当該第２の測定値データを第２の外部装置に出力する第２の処理を実行可能に構成された第２の測定装置と、前記第１の測定装置から前記第１の測定値データを取得して前記第２の外部装置に出力する第３の処理を繰り返し実行可能に構成された前記第１の外部装置としての第１のデータ処理装置と、表示部を備え、かつ前記第１のデータ処理装置から出力された前記第１の測定値データを取得して当該第１の測定値データに基づいて特定される前記上流側電路についての前記被測定量を前記表示部に表示させる第４の処理を繰り返し実行可能に構成されると共に、前記第２の測定装置から前記第２の測定値データを取得して当該第２の測定値データに基づいて特定される前記下流側電路についての前記被測定量を前記表示部に表示させる第５の処理を実行可能に構成された前記第２の外部装置としての第２のデータ処理装置とを備えている。
【００１４】
また、請求項２記載の測定システムは、請求項１記載の測定システムにおいて、前記第２のデータ処理装置は、前記第１の測定値データに基づいて特定される前記上流側電路についての前記被測定量が予め規定された第１の報知基準を満たす値のときに、当該上流側電路についての当該被測定量が当該第１の報知基準を満たす値であることを特定可能に報知する第６の処理を実行可能に構成されている。
【００１５】
さらに、請求項３記載の測定システムは、請求項１または２記載の測定システムにおいて、前記第２のデータ処理装置は、前記第２の測定値データに基づいて特定される前記下流側電路についての前記被測定量が、前記第１の測定値データに基づいて特定される前記上流側電路についての前記被測定量に対する予め規定された第２の報知基準を満たす値のときに、当該下流側電路についての当該被測定量が当該第２の報知基準を満していることを特定可能に報知する第７の処理を実行可能に構成されている。
【００１６】
さらに、請求項４記載の測定システムは、請求項１から３のいずれかに記載の測定システムにおいて、前記第１のデータ処理装置と前記第２のデータ処理装置との間に無線通信路が介在するように構成されている。
【００１７】
また、請求項５記載のデータ処理用プログラムは、上流側電路から分岐した複数の下流側電路についての予め規定された被測定量をそれぞれ測定可能に構成され、前記上流側電路についての前記被測定量を測定して当該被測定量を特定可能な第１の測定値データを生成し、生成した当該第１の測定値データを第１の外部装置に出力する第１の処理を繰り返し実行可能に構成された第１の測定装置と、前記下流側電路についての前記被測定量を測定して当該被測定量を特定可能な第２の測定値データを生成し、生成した当該第２の測定値データを第２の外部装置に出力する第２の処理を実行可能に構成された第２の測定装置と、前記第１の測定装置から前記第１の測定値データを取得して前記第２の外部装置に出力する第３の処理を繰り返し実行可能に構成された前記第１の外部装置としての第１のデータ処理装置と、表示部を備えた前記第２の外部装置としての第２のデータ処理装置とを備えている測定システムにおける当該第２のデータ処理装置に対して、前記第１のデータ処理装置から出力された前記第１の測定値データを取得して当該第１の測定値データに基づいて特定される前記上流側電路についての前記被測定量を前記表示部に表示させる第４の処理を繰り返し実行させると共に、前記第２の測定装置から前記第２の測定値データを取得して当該第２の測定値データに基づいて特定される前記下流側電路についての前記被測定量を前記表示部に表示させる第５の処理を実行させる。
【発明の効果】
【００１８】
請求項１記載の測定システムでは、上流側電路についての被測定量を測定して第１の測定値データを生成し、生成した第１の測定値データを第１の外部装置に出力する第１の処理を繰り返し実行可能に構成された第１の測定装置と、下流側電路についての被測定量を測定して第２の測定値データを生成し、生成した第２の測定値データを第２の外部装置に出力する第２の処理を実行可能に構成された第２の測定装置と、第１の測定装置から第１の測定値データを取得して第２の外部装置に出力する第３の処理を繰り返し実行可能に構成された第１の外部装置としての第１のデータ処理装置と、第１のデータ処理装置から取得した第１の測定値データに基づいて特定される上流側電路についての被測定量を表示部に表示させる第４の処理を繰り返し実行可能に構成されると共に、第２の測定装置から取得した第２の測定値データに基づいて特定される下流側電路についての被測定量を表示部に表示させる第５の処理を実行可能に構成された第２の外部装置としての第２のデータ処理装置とを備えている。また、請求項５記載のデータ処理用プログラムでは、上記のような測定システムにおける第２のデータ処理装置に対して、第４の処理を繰り返し実行させると共に第５の処理を実行させる。
【００１９】
したがって、請求項１記載の測定システム、および請求項５記載のデータ処理用プログラムによれば、第１の測定装置によって測定される上流側電路についての最新の被測定量が、第２の測定装置によって測定される下流側電路についての被測定量と共に第２のデータ処理装置に表示されるため、この第２のデータ処理装置を第２の測定装置と共に携行して下流側電路の設置場所に移動することで、下流側電路の設置場所において、第２のデータ処理装置に表示される上流側電路についての最新の被測定量および下流側電路についての被測定量を容易に比較することができる。これにより、上流側電路において測定される被測定量に関連する被測定量が測定さる電路を確実かつ容易に特定することができ、不要な測定作業を行わなくて済む分だけ、一連の測定作業に要する時間を充分に短縮することができる。また、上流側電路についての被測定量および下流側電路についての被測定量の双方を把握する際に、第２のデータ処理装置の表示部および第２の測定装置の表示部を交互に見ることなく、第２のデータ処理装置の表示部を見るだけで両被測定量を容易に把握することができるため、作業者の負担を充分に軽減することができる。
【００２０】
請求項２記載の測定システムでは、第２のデータ処理装置が、第１の測定値データに基づいて特定される上流側電路についての被測定量が予め規定された第１の報知基準を満たす値のときに、上流側電路についての被測定量が第１の報知基準を満たす値であることを特定可能に報知する第６の処理を実行する。したがって、請求項２記載の測定システム、およびその第２の処理装置に各種処理を実行させるデータ処理用プログラムによれば、第２のデータ処理装置に表示される上流側電路についての被測定量を読み取ってどの程度の大きさの値であるかを判断する行為を行うことなく、上流側電路についての被測定量が予め規定された第１の報知基準を満たす値であるか否かを端的に把握することができるため、作業者の負担を一層軽減することができる。
【００２１】
請求項３記載の測定システムでは、第２のデータ処理装置が、第２の測定値データに基づいて特定される下流側電路についての被測定量が、第１の測定値データに基づいて特定される上流側電路についての被測定量に対する予め規定された第２の報知基準を満たす値のときに、下流側電路についての被測定量が第２の報知基準を満していることを特定可能に報知する第７の処理を実行する。したがって、請求項３記載の測定システム、およびその第２の処理装置に各種処理を実行させるデータ処理用プログラムによれば、第２のデータ処理装置に表示される上流側電路についての被測定量および下流側電路についての被測定量をそれぞれ読み取って両値を比較する行為を行うことなく、下流側電路についての被測定量が上流側電路についての被測定量に対する予め規定された第２の報知基準を満たす値であるか否かを端的に把握することができるため、作業者の負担を一層軽減することができる。
【００２２】
請求項４記載の測定システムによれば、第１のデータ処理装置と第２のデータ処理装置との間に無線通信路が介在するように構成したことにより、有線通信路だけで測定システムを構成した場合と比較して、無線通信路を介在させた分だけ、第１のデータ処理装置および第２のデータ処理装置を大きく離間させて使用することができる。これにより、第１のデータ処理装置に対して第１の測定値データを出力する第１の測定装置と、第２のデータ処理装置に対して第２の測定値データを出力する第２の測定装置とを大きく離間させることができるため、第１の測定装置を装着する上流側電路に対して大きく離間した位置に配設されている下流側電路について第２の測定装置によって被測定量を測定することができるため、各種の測定対象を対象とする測定を行うことができる。また、有線通信路（信号ケーブル等）で第１のデータ処理装置および第２のデータ処理装置を接続した構成と比較して、無線通信路を介在させたことで第２のデータ処理装置の移動可能範囲が拡がるため、作業者の負担を一層軽減することができる。
【図面の簡単な説明】
【００２３】
【図１】測定システム１００の構成を示す構成図である。
【図２】測定装置１Ａ，１Ｂの構成を示す構成図である。
【図３】携帯情報端末２Ａ，２Ｂの構成を示す構成図である。
【発明を実施するための形態】
【００２４】
以下、測定システムおよびデータ処理用プログラムの実施の形態について、添付図面を参照して説明する。
【００２５】
図１に示す測定システム１００は、「測定システム」に相当し、一例として、測定装置１Ａ，１Ｂおよび携帯情報端末２Ａ，２Ｂ（以下、区別しないときには「測定装置１」および「携帯情報端末２」ともいう）を備えて構成されている。
【００２６】
なお、以下の説明においては、本願発明についての理解を容易とするために、一例として、基幹電路Ｌａ、基幹電路Ｌａから分岐した分岐電路Ｌｂ１，Ｌｂ２・・，Ｌｂｎ（以下、区別しないときには「分岐電路Ｌｂ」ともいう）、および分岐電路Ｌｂ１から分岐した分岐電路Ｌｃ１，Ｌｃ２・・，Ｌｃｎ（以下、区別しないときには「分岐電路Ｌｃ」ともいう）を備えた測定対象Ｘについて、基幹電路Ｌａおよび各分岐電路Ｌｂ，Ｌｃ（以下、これらを区別しないときには「電路Ｌ」ともいう）を対象とする漏電検査を実施するものとする。また、一例として、基幹電路Ｌａを「上流側電路」とし、かつ各分岐電路Ｌｂ，Ｌｃを「複数の下流側電路」とすると共に、各電路Ｌの漏れ電流を「予め規定された被測定量」として処理するものとする。
【００２７】
また、本例の測定システム１００では、一例として、測定装置１Ａ，１Ｂが同じ型式の測定装置で構成されて同様の測定処理を実行可能に構成されると共に、携帯情報端末２Ａ，２Ｂが同じ型式の携帯情報端末で構成されて同様のデータ処理を実行可能に構成されているが、測定システム１００の動作についての理解を容易とするために、後述するように基幹電路Ｌａについての測定処理を実行する測定装置１を測定装置１Ａ（「第１の測定装置」の一例）とし、この測定装置１Ａの近傍に設置される携帯情報端末２を携帯情報端末２Ａ（「第１のデータ処理装置」）とすると共に、各分岐電路Ｌｂ，Ｌｃについての測定処理を実行する測定装置１を測定装置１Ｂ（「第２の測定装置」の一例）とし、この測定装置１Ｂと共に携行される携帯情報端末２を携帯情報端末２Ｂ（「第２のデータ処理装置」）とする。
【００２８】
測定装置１は、「測定装置」に相当し、一例として、電路Ｌの電線などの測定対象導線をクランプ可能なクランプセンサ１０ａ（図２参照）を備え、測定対象導線を流れている電流の電流値を測定することができるように構成されている。具体的には、測定装置１は、図２に示すように、測定部１０、通信部１１、操作部１２、表示部１３、処理部１４および記憶部１５を備えている。
【００２９】
測定部１０は、処理部１４の制御下で各電路Ｌを流れる電流に起因して電路Ｌの周囲に生じる磁気がクランプセンサ１０ａによって検出されたときに、その検出量に基づいて電路Ｌを流れる電流の電流値を測定し、測定結果を示す測定値データＤ１を処理部１４に出力する。なお、本例では、測定装置１Ａの測定部１０によって生成される測定値データＤ１（基幹電路Ｌａを流れる電流の電流値を特定可能な測定値データＤ１：以下、「測定値データＤ１ａ」ともいう）が「第１の測定値データ」に相当すると共に、測定装置１Ｂの測定部１０によって生成される測定値データＤ１（分岐電路Ｌｂ，Ｌｃを流れる電流の電流値を特定可能な測定値データＤ１：以下、「測定値データＤ１ｂ」ともいう）が「第２の測定値データ」に相当する。
【００３０】
通信部１１は、一例として、ブルートゥース（Bluetooth ：登録商標）規格などの近距離無線通信規格に準ずる無線通信が可能な無線通信モジュールを備え、携帯情報端末２などの外部機器（ブルートゥース対応機器）との間で各種のデータを送受信可能に構成されている。具体的には、本例の測定システム１００では、後述するように、測定装置１Ａの通信部１１が「第１の外部装置」としての携帯情報端末２Ａに対して測定値データＤ１ａを送信すると共に、測定装置１Ｂの通信部１１が「第２の外部装置」としての携帯情報端末２Ｂに対して測定値データＤ１ｂを送信することが可能となっている。
【００３１】
操作部１２は、測定装置１の動作条件（測定条件）の設定や、測定開始／停止を指示するための各種操作スイッチを備え、スイッチ操作に応じた操作信号を処理部１４に出力する。表示部１３は、処理部１４の制御下で測定装置１の動作状態や測定部１０による測定結果を表示する。
【００３２】
処理部１４は、測定装置１を総括的に制御する。具体的には、処理部１４は、測定部１０を制御して電路Ｌを流れる電流の電流値を測定させると共に、測定部１０から出力される測定値データＤ１を記憶部１５に記憶させる。また、処理部１４は、測定部１０からの測定値データＤ１を通信部１１から携帯情報端末２に送信（出力）する。
【００３３】
なお、本例では、測定装置１Ａの測定部１０が測定値データＤ１ａを生成する上記の処理、およびその測定装置１Ａの処理部１４が測定値データＤ１ａを通信部１１から携帯情報端末２Ａに送信する処理が「第１の処理」に相当する。また、本例では、測定装置１Ｂの測定部１０が測定値データＤ１ｂを生成する上記の処理、およびその測定装置１Ｂの処理部１４が測定値データＤ１ｂを通信部１１から携帯情報端末２Ｂに送信する処理が「第２の処理」に相当する。
【００３４】
記憶部１５は、処理部１４の動作プログラムや、上記の測定値データＤ１などを記憶する。なお、測定装置１による上記の「第１の処理」および「第２の処理」は、操作部１２の操作によって処理開始を指示された時点から、予め設定された終了条件が満たされるまで繰り返し実行される。この場合、前述したように同じ型式の装置で構成されている測定装置１を測定装置１Ａ，１Ｂのいずれとして動作させるかについては、図示しない動作条件設定画面を表示させた状態で操作部１２を操作することで任意に選択することが可能となっている。
【００３５】
携帯情報端末２Ａは、一例として、データ処理用プログラムＤｐａをインストールした既存のタブレット端末やスマートフォンで構成され、携帯情報端末２Ｂは、データ処理用プログラムＤｐｂ（以下、「データ処理用プログラムＤｐａ」と区別しないときにはデータ処理用プログラムＤｐａ，Ｄｐｂを総称して「データ処理用プログラムＤｐ」ともいう）をインストールした既存のタブレット端末やスマートフォン（携帯情報端末２Ａと同型の端末）で構成されている。
【００３６】
なお、広義には、「タブレット端末」は「タッチパネル等のポインティングデバイスと表示装置とを備えたＰＤＡ（携帯情報端末）」を意味し、「スマートフォン」は「ＰＤＡ（携帯情報端末）の機能が備わった携帯電話」を意味するが、本明細書では、この広義の「タブレット端末」および広義の「スマートフォン」のうちの「各種プログラムのインストールによって任意の機能を付加したり、端末の操作環境や表示環境等をカスタマイズしたりすることができるもの」を「タブレット端末」や「スマートフォン」という。
【００３７】
この場合、本例の測定システム１００における携帯情報端末２は、一例として、タブレット端末で構成されており、図３に示すように、通信部２１ａ，２１ｂ、操作部２２、表示部２３、処理部２４および記憶部２５を備えている。なお、実際の携帯情報端末２は、上記の各構成要素の他に、「タブレット端末」としての機能を実現するための各種の構成要素を備えているが、本願発明についての理解を容易とするために、これらの構成要素についての図示および説明を省略する。
【００３８】
通信部２１ａは、測定装置１の通信部１１と同様にブルートゥース（Bluetooth ：登録商標）規格などの近距離無線通信規格に準ずる無線通信が可能な無線通信モジュールを備え、測定装置１などの外部機器（ブルートゥース対応機器）との間で各種のデータを送受信可能に構成されている。具体的には、本例の測定システム１００における携帯情報端末２の通信部２１ａは、後述するように、測定装置１から送信される測定値データＤ１を受信して処理部２４に出力することができるように構成されている。
【００３９】
通信部２１ｂは、一例として、インターネットＮ２に接続された移動体データ通信網Ｎ１に対して接続可能な通信モジュールを備えている。これにより、本例の測定システム１００では、携帯情報端末２Ａの通信部２１ｂと携帯情報端末２Ｂの通信部２１ｂとの間の相互通信が可能となっている（「第１のデータ処理装置と第２のデータ処理との間に無線通信路が介在する」との構成の一例）。なお、移動体データ通信網Ｎ１に接続可能な通信モジュールに代えて（または、そのような通信モジュールに加えて）、無線ＬＡＮアクセスポイントに接続可能な通信モジュールを備えて通信部２１ｂを構成することもできる。そのような構成を採用した場合には、接続した無線ＬＡＮアクセスポイントを経由してインターネットＮ２に接続し、インターネットＮ２を介して携帯情報端末２Ａの通信部２１ｂと携帯情報端末２Ｂの通信部２１ｂとの間の相互通信を行うことが可能となる。
【００４０】
操作部２２は、一例として、表示部２３の前面側に配設されたタッチパネルや、携帯情報端末２を「タブレット端末」としての機能させるための各種の操作スイッチを備え、操作に応じた操作信号を処理部２４に出力する。表示部２３は、「表示部」に相当し、一例として液晶表示パネルを備えると共に、処理部２４の制御に従い、データ処理用プログラムＤｐの動作条件設定画面や、測定装置１からの測定値データＤ１の送信状態を特定可能な表示画面等の各種の表示画面（図示せず）を表示する。
【００４１】
処理部２４は、携帯情報端末２を総括的に制御する。具体的には、処理部２４は、インストールされたデータ処理用プログラムＤｐに従い、測定装置１（通信部１１）から送信されて通信部２１ａによって受信された測定値データＤ１が通信部２１ａから出力されたとき（「第１の測定値データの取得」および「第２の測定値データの取得」の一例）に、その測定値データＤ１を記憶部２５に記憶させる。
【００４２】
また、携帯情報端末２Ａの処理部２４は、データ処理用プログラムＤｐａに従い、測定装置１Ａから取得した測定値データＤ１ａを通信部２１ｂから移動体データ通信網Ｎ１およびインターネットＮ２を介して携帯情報端末２Ｂに出力（送信）する。なお、本例では、携帯情報端末２Ａの処理部２４による測定値データＤ１ａの取得から、取得した測定値データＤ１ａの携帯情報端末２Ｂへの出力までの一連の処理が「第３の処理」に相当し、携帯情報端末２Ａにおいてデータ処理用プログラムＤｐａが起動されて処理開始を指示されてから、予め規定された終了条件が満たされるまで、この「第３の処理」が携帯情報端末２Ａにおいて繰り返し実行される。
【００４３】
また、携帯情報端末２Ｂの処理部２４は、データ処理用プログラムＤｐｂに従い、携帯情報端末２Ａから出力されて通信部２１ｂによって受信された測定値データＤ１ａが通信部２１ｂから出力されたとき（「第１の測定装置からの第１の測定値データの取得」の一例）に、その測定値データＤ１ａを記憶部２５に記憶させる。
【００４４】
さらに、携帯情報端末２Ｂの処理部２４は、データ処理用プログラムＤｐｂに従い、携帯情報端末２Ａから出力された測定値データＤ１ａに基づいて特定される電流値、すなわち、測定装置１Ａによって測定された基幹電路Ｌａを流れる電流の電流値（「上流側電路についての被測定量」の一例）を表示部２３に表示させる。なお、本例では、携帯情報端末２Ｂの処理部２４による携帯情報端末２Ａからの測定値データＤ１ａの取得から、取得した測定値データＤ１ａに基づいて特定される電流値を表示部２３に表示させる処理までの一連の処理が「第４の処理」に相当し、携帯情報端末２Ｂにおいてデータ処理用プログラムＤｐｂが起動されて処理開始を指示されてから、予め規定された終了条件が満たされるまで、この「第４の処理」が携帯情報端末２Ｂにおいて繰り返し実行される。
【００４５】
また、携帯情報端末２Ｂの処理部２４は、データ処理用プログラムＤｐｂに従い、測定装置１Ｂから送信されて通信部２１ａによって受信された測定値データＤ１ｂに基づいて特定される電流値、すなわち、測定装置１Ｂによって測定された分岐電路Ｌｂ，Ｌｂを流れる電流の電流値（「下流側電路についての被測定量」の一例）を、上記の「第４の処理」によって表示部２３に表示させた基幹電路Ｌａについての電流値と並べて表示部２３に表示させる。なお、携帯情報端末２Ｂの表示部２３に対して基幹電路Ｌａについての電流値と分岐電路Ｌｂ，Ｌｃについての電流値とを並べて表示させる構成・処理手順に代えて、基幹電路Ｌａについての電流値の表示画面と、分岐電路Ｌｂ，Ｌｃについての電流値と携帯情報端末２Ｂの表示部２３に切り替え表示させる構成・処理手順を採用することもできる。
【００４６】
この場合、本例では、携帯情報端末２Ｂの処理部２４による測定装置１Ｂからの測定値データＤ１ｂの取得から、取得した測定値データＤ１ｂに基づいて特定される電流値を表示部２３に表示させる処理までの一連の処理が「第５の処理」に相当し、携帯情報端末２Ｂにおいてデータ処理用プログラムＤｐｂが起動されて処理開始を指示されてから、予め規定された終了条件が満たされるまで、この「第５の処理」が携帯情報端末２Ｂにおいて繰り返し実行される。
【００４７】
さらに、携帯情報端末２Ｂの処理部２４は、データ処理用プログラムＤｐｂに従い、携帯情報端末２Ａから出力された測定値データＤ１ａに基づいて特定される基幹電路Ｌａについての電流値が、予め設定された漏電発生時電流値以上の値であると判別したとき（「予め規定された第１の報知基準を満たす値のとき」の一例）に、一例として、測定値データＤ１ａに基づいて特定して表示部２３に表示させている電流値（基幹電路Ｌａについての電流値）を点滅表示させ、かつ、その電流値に対応させて「漏電検出中」とのメッセージ（測定対象Ｘを構成するいずれかの電路Ｌにおいて漏電が発生していることを特定可能なメッセージの一例）を表示部２３に表示させると共に、図示しないスピーカから報知音を出力する。なお、本例では、電流値の点滅表示、メッセージの表示、および報知音の出力の処理が「上流側電路についての被測定量が第１の報知基準を満たす値であることを特定可能に報知する第６の処理」に相当する。
【００４８】
また、携帯情報端末２Ｂの処理部２４は、データ処理用プログラムＤｐｂに従い、測定装置１Ｂから送信された測定値データＤ１ｂに基づいて特定される分岐電路Ｌｂ，Ｌｃについての電流値が、携帯情報端末２Ａから出力された測定値データＤ１ａに基づいて特定される基幹電路Ｌａについての電流値に対して、予め設定された誤差範囲内で一致するとき（「予め規定された第２の報知基準を満たす値のとき」との状態の一例）に、一例として、測定値データＤ１ｂに基づいて特定して表示部２３に表示させている電流値（分岐電路Ｌｂ，Ｌｃについての電流値）を点滅表示させ、かつ、「検出電流値が一致しました」とのメッセージ（基幹電路Ｌａについての電流値と、測定装置１Ｂによって測定された分岐電路Ｌｂ，Ｌｃについての電流値とが一致していることを特定可能なメッセージの一例）を表示部２３に表示させると共に、図示しないスピーカから、上記の報知音とは異なる報知音を出力する。なお、本例では、電流値の点滅表示、メッセージの表示、および報知音の出力の処理が「下流側電路についての被測定量が第２の報知基準を満していることを特定可能に報知する第７の処理」に相当する。
【００４９】
さらに、携帯情報端末２Ｂの処理部２４は、データ処理用プログラムＤｐｂに従い、測定装置１Ｂから送信された測定値データＤ１ｂに基づいて特定される分岐電路Ｌｂ，Ｌｃについての電流値が、漏電発生時電流値以上であっても、携帯情報端末２Ａから出力された測定値データＤ１ａに基づいて特定される基幹電路Ｌａについての電流値に対して、予め設定された誤差範囲を外れて小さな値であるときには、一例として、「検出電流値が一致しません」とのメッセージ（測定装置１Ｂによって測定された分岐電路Ｌｂ，Ｌｃについての電流値が基幹電路Ｌａについての電流値よりも小さいことを特定可能なメッセージの一例）を表示部２３に表示させる。
【００５０】
記憶部２５は、携帯情報端末２の内蔵メモリであって、処理部２４の基本動作プログラムやデータ処理用プログラムＤｐ、および測定値データＤ１などを記憶する。なお、データ処理用プログラムＤｐの一部や測定値データＤ１については、記憶部２５に代えて、携帯情報端末２Ａ，２Ｂに装着されるリムーバブルメモリに記憶させることもできる。なお、本例の測定システム１００では、携帯情報端末２Ｂにインストールされているデータ処理用プログラムＤｐｂが「データ処理用プログラム」に相当する。
【００５１】
この場合、前述したように同じ型式の携帯情報端末で構成されている携帯情報端末２を携帯情報端末２Ａ，２Ｂのいずれとして動作させるかについては、データ処理用プログラムＤｐａをインストールした携帯情報端末２が携帯情報端末２Ａとして動作し、かつデータ処理用プログラムＤｐｂをインストールした携帯情報端末２が携帯情報端末２Ｂとして動作するため、データ処理用プログラムＤｐａ，Ｄｐｂのいずれをインストールするかによって任意に選択することが可能となっている。
【００５２】
また、本例のデータ処理用プログラムＤｐａ，Ｄｐｂとは異なり、「第１のデータ処理装置（本例における携帯情報端末２Ａ）」によって実行すべき処理の手順、および「第２のデータ処理装置（本例における携帯情報端末２Ｂ）」によって実行すべき処理の手順の双方が記録された「データ処理用プログラム」を両「データ処理装置」にインストールし、その「データ処理用プログラム」における動作条件設定画面で、「第１のデータ処理装置」として各種処理を実行するか、「第２のデータ処理装置」として各種処理を実行するかを選択させることもできる。
【００５３】
次に、測定システム１００を用いた測定対象Ｘについての漏電検査について、添付図面を参照して説明する。
【００５４】
なお、測定装置１Ａおよび携帯情報端末２Ａの間のブルートゥースのペアリング作業、測定装置１Ｂおよび携帯情報端末２Ｂの間のブルートゥースのペアリング作業、携帯情報端末２Ａへのデータ処理用プログラムＤｐａのインストール、携帯情報端末２Ｂへのデータ処理用プログラムＤｐｂのインストール、並びに携帯情報端末２Ａ，２Ｂの移動体データ通信網Ｎ１およびインターネットＮ２を介しての相互接続を許容する準備作業等については既に完了しているものとし、それらの作業に関する説明を省略する。また、漏電の有無を検査する測定対象Ｘについては、各分岐電路Ｌｂ，Ｌｃに接続された負荷への電源供給（負荷の動作）が停止状態に移行させられているものとする。
【００５５】
まず、測定装置１Ａとして動作させるように設定した測定装置１を起動させると共に、携帯情報端末２Ａ，２Ｂを起動させて携帯情報端末２Ａにおいてデータ処理用プログラムＤｐａを動作させ、かつ携帯情報端末２Ｂにおいてデータ処理用プログラムＤｐｂを動作させる。これにより、測定装置１Ａおよび携帯情報端末２Ａ間の通信が可能な状態となり、かつ携帯情報端末２Ａおよび携帯情報端末２Ｂ間の移動体データ通信網Ｎ１およびインターネットＮ２を介しての通信が可能な状態となる。
【００５６】
次いで、図１に示すように、測定装置１Ａのクランプセンサ１０ａによって基幹電路Ｌａをクランプすることで基幹電路Ｌａに測定装置１Ａを装着すると共に、測定装置１Ａ（通信部１１）との通信が可能な範囲内に携帯情報端末２Ａ（通信部２１ａ）を設置する。
【００５７】
この際には、測定装置１Ａにおいて基幹電路Ｌａを流れる電流の電流値が予め設定された測定周期で測定されて、測定された電流値を示す測定値データＤ１ａが測定装置１Ａの記憶部１５に順次記憶されると共に、新たな測定値データＤ１ａが生成される都度、その測定値データＤ１ａが通信部１１から携帯情報端末２Ａに順次送信される（「第１の処理」の一例）。また、携帯情報端末２Ａでは、測定装置１Ａからの測定値データＤ１ａが通信部２１ａによって受信される都度、処理部２４がデータ処理用プログラムＤｐａに従い、その測定値データＤ１ａを記憶部２５に記憶させると共に、通信部２１ｂから移動体データ通信網Ｎ１およびインターネットＮ２を介して携帯情報端末２Ｂに出力する（「第３の処理」の一例）。
【００５８】
さらに、携帯情報端末２Ｂでは、携帯情報端末２Ａからの測定値データＤ１ａが通信部２１ｂによって受信される都度、処理部２４がデータ処理用プログラムＤｐｂに従い、その測定値データＤ１ａを記憶部２５に記憶させると共に、その測定値データＤ１ａに基づいて特定される基幹電路Ｌａについての電流値を表示部２３に表示させる（「第４の処理」の一例）。また、携帯情報端末２Ｂでは、処理部２４が、測定値データＤ１ａに基づいて特定される基幹電路Ｌａについての電流値が漏電発生時電流値以上であるか否かを判別する。
【００５９】
この際に、測定対象Ｘにおける各電路Ｌのいずれにおいても漏電が発生していないときには、基幹電路Ｌａを電流が流れないため、測定装置１Ａによって生成される測定値データＤ１ａの値（基幹電路Ｌａについての電流値）がほぼ「０」となる。したがって、測定装置１Ａからの測定値データＤ１ａを取得した携帯情報端末２Ｂにおいて、処理部２４が、特定される電流値が漏電発生時電流値を下回っていると判別し、次の測定値データＤ１ａの取得、および対応する電流値の表示を繰り返す。
【００６０】
一方、例えば、測定対象Ｘにおける分岐電路Ｌｂ１から分岐した分岐電路Ｌｃ１において漏電が発生しているときには、この分岐電路Ｌｃ１を流れる電流と同程度の電流が分岐電路Ｌｂ１および基幹電路Ｌａを流れる。このため、基幹電路Ｌａに装着されている測定装置１Ａによって生成される測定値データＤ１ａの値（基幹電路Ｌａについての電流値）が各電路Ｌにおいて漏電が発生していないときよりも大きな値となる。この際には、測定装置１Ａからの測定値データＤ１ａを取得した携帯情報端末２Ｂにおいて、処理部２４が、特定される電流値が漏電発生時電流値以上であると判別し、測定値データＤ１ａに基づいて表示部２３に表示している電流値を点滅表示させ、かつ「漏電検出中」とのメッセージを表示部２３に表示させると共に、スピーカから報知音を出力する（「第６の処理」の一例）。
【００６１】
これにより、携帯情報端末２Ｂの表示部２３における電流値の点滅および／またはメッセージを見たり、スピーカからの報知音を聞いたりした作業者は、測定対象Ｘを構成する電路Ｌのいずれかにおいて漏電が発生していると認識する。この際には、携帯情報端末２Ｂおよび測定装置１Ｂを携行して、各分岐電路Ｌｂ，Ｌｃを対象とする漏れ電流の測定作業を順次実行する。
【００６２】
具体的には、分岐電路Ｌｂ１から測定作業を開始する際には、測定装置１Ａによる基幹電路Ｌａについての測定、測定装置１Ａから携帯情報端末２Ａへの測定値データＤ１ａの送信および携帯情報端末２Ａから携帯情報端末２Ｂへの測定値データＤ１ａの出力を継続させたまま、測定装置１Ｂおよび携帯情報端末２Ｂを携行して分岐電路Ｌｂ１の設置場所に移動する。
【００６３】
この際に、本例の測定システム１００では、前述したように、携帯情報端末２Ａ，２Ｂが移動体データ通信網Ｎ１およびインターネットＮ２を介して通信可能に構成されている。したがって、測定装置１Ａおよび携帯情報端末２Ａを設置した基幹電路Ｌａと、測定作業を行う分岐電路Ｌｂ１とが遠く離れていても、測定装置１Ａによって測定された基幹電路Ｌａの電流値を特定可能な測定値データＤ１ａを携帯情報端末２Ａから携帯情報端末２Ｂに送信させて、携帯情報端末２Ｂにおいて基幹電路Ｌａの電流値を表示させ続けることができる。
【００６４】
次いで、測定装置１Ｂのクランプセンサ１０ａによって分岐電路Ｌｂ１をクランプすることで分岐電路Ｌｂ１を流れている電流の電流値を測定させる。この際に、分岐電路Ｌｂ１から分岐した分岐電路Ｌｃ１において漏電が発生している本例では、分岐電路Ｌｃ１において発生している漏電の規模に応じた電流が分岐電路Ｌｂ１を流れている。したがって、測定部１０によって、分岐電路Ｌｃ１において発生している漏電の規模に応じた電流が測定され、測定された電流値を示す測定値データＤ１ｂが測定装置１Ｂの記憶部１５に順次記憶されると共に、通信部１１から携帯情報端末２Ｂに順次送信される（「第２の処理」の一例）。
【００６５】
また、携帯情報端末２Ｂでは、測定装置１Ｂからの測定値データＤ１ｂが通信部２１ａによって受信される都度、処理部２４がデータ処理用プログラムＤｐｂに従い、その測定値データＤ１ｂを記憶部２５に記憶させると共に、その測定値データＤ１ｂに基づいて特定される分岐電路Ｌｂ１についての電流値を表示部２３に表示させる（「第５の処理」の一例）。また、携帯情報端末２Ｂでは、処理部２４が、測定装置１Ｂから送信された測定値データＤ１ｂの電流値が、携帯情報端末２Ａから出力された測定値データＤ１ａの電流値に対する誤差範囲内の値であるか否かを判別する。
【００６６】
この際に、分岐電路Ｌｂ１から分岐した分岐電路Ｌｃ１だけで漏電が発生し、基幹電路Ｌａ、分岐電路Ｌｂ１〜Ｌｂｎ、および分岐電路Ｌｃ２〜Ｌｃｎにおいて漏電が発生していないときには、分岐電路Ｌｃ１において発生している漏電に起因して分岐電路Ｌｂ１を流れる電流の電流値と同程度の電流が基幹電路Ｌａを流れることとなる。このため、分岐電路Ｌｃ１だけで漏電が発生している本例では、この分岐電路Ｌｃ１の上流側の測定値データＤ１ｂにおいて測定される電流値が、測定値データＤ１ａの電流値に対する誤差範囲内の値となる。
【００６７】
したがって、携帯情報端末２Ｂの処理部２４は、誤差範囲内の値であると判別し、測定値データＤ１ａに基づいて表示部２３に表示させている電流値の点滅表示を継続し、測定値データＤ１ｂに基づいて表示部２３に表示している電流値を点滅表示させ、かつ「検出電流値が一致しました」とのメッセージを表示部２３に表示させると共に、測定値データＤ１ａに基づいて漏電が発生していると特定した際に出力した報知音とは異なる報知音をスピーカから出力する（「第７の処理」の一例）。
【００６８】
これにより、携帯情報端末２Ｂの表示部２３における両電流値の点滅および／またはメッセージを見たり、スピーカからの報知音を聞いたりした作業者は、分岐電路Ｌｂ１、または、その下流の各分岐電路Ｌｃにおいて漏電が発生しているとの事項を認識すると共に、分岐電路Ｌｂ１において測定される漏れ電流の電流値が基幹電路Ｌａを流れている電流の電流値と一致するとの事項、すなわち、基幹電路Ｌａや、分岐電路Ｌｂ１以外の分岐電路Ｌｂでは漏電が発生していないとの事項を認識する。したがって、作業者は、分岐電路Ｌｂ１自体において漏電が発生しているのか、分岐電路Ｌｂ１から分岐した各分岐電路Ｌｃにおいて漏電が発生しているのかを特定する作業を実施する。
【００６９】
具体的には、分岐電路Ｌｃ１から測定作業を開始する際には、測定装置１Ｂのクランプセンサ１０ａによって分岐電路Ｌｃ１をクランプすることで分岐電路Ｌｃ１を流れている電流の電流値を測定させる。この際に、この分岐電路Ｌｃ１において漏電が発生している本例では、測定部１０によって、発生している漏電の規模に応じた漏れ電流が測定され、測定された電流値を示す測定値データＤ１ｂが測定装置１Ｂの記憶部１５に順次記憶されると共に、通信部１１から携帯情報端末２Ｂに順次送信される（「第２の処理」の他の一例）。
【００７０】
また、携帯情報端末２Ｂでは、測定装置１Ｂからの測定値データＤ１ｂが通信部２１ａによって受信される都度、処理部２４がデータ処理用プログラムＤｐｂに従い、その測定値データＤ１ｂを記憶部２５に記憶させると共に、分岐電路Ｌｂ１に基づいて表示させた電流値に代えて、記憶部２５に記憶させた測定値データＤ１ｂに基づいて特定される分岐電路Ｌｃ１についての電流値を表示部２３に表示させる（「第５の処理」の他の一例）。また、携帯情報端末２Ｂでは、処理部２４が、測定装置１Ｂから送信された測定値データＤ１ｂの電流値が、携帯情報端末２Ａから出力された測定値データＤ１ａの電流値に対する誤差範囲内の値であるか否かを判別する。
【００７１】
この際に、分岐電路Ｌｃ１だけで漏電が発生し、分岐電路Ｌｃ１以外の分岐電路Ｌｃにおいて漏電が発生していないときには、分岐電路Ｌｃ１を流れる電流の電流値と同程度の電流が分岐電路Ｌｂ１および基幹電路Ｌａを流れた状態となる。このため、分岐電路Ｌｃ１だけで漏電が発生している本例では、この分岐電路Ｌｃ１において測定される電流値が、測定値データＤ１ａの電流値に対する誤差範囲内の値となる。
【００７２】
したがって、携帯情報端末２Ｂの処理部２４は、誤差範囲内の値であると判別し、測定値データＤ１ａに基づいて表示部２３に表示させている電流値の点滅表示を継続し、分岐電路Ｌｃ１についての測定値データＤ１ｂに基づいて表示部２３に表示している電流値を点滅表示させ、かつ「検出電流値が一致しました」とのメッセージを表示部２３に表示させると共に、分岐電路Ｌｂ１についての測定値データＤ１ｂに基づく電流値が測定値データＤ１ａに基づく電流値の誤差範囲内であると特定したときに出力した報知音と同じ報知音をスピーカから出力する（「第７の処理」の他の一例）。
【００７３】
これにより、携帯情報端末２Ｂの表示部２３における両電流値の点滅および／またはメッセージを見たり、スピーカからの報知音を聞いたりした作業者は、分岐電路Ｌｃ１において漏電が発生しているとの事項を認識すると共に、分岐電路Ｌｃ１において測定される漏れ電流の電流値が基幹電路Ｌａや分岐電路Ｌｂ１を流れている電流の電流値を一致するとの事項、すなわち、分岐電路Ｌｂ１から分岐した分岐電路Ｌｃ１以外の各電路Ｌでは漏電が発生していないとの事項を認識する。したがって、この例では、分岐電路Ｌｂ１、および分岐電路Ｌｂ１から分岐した分岐電路Ｌｃ１以外の電路Ｌについての測定作業を行うことなく、測定対象Ｘを構成する電路Ｌのいずれにおいて漏電が発生しているかが特定される。
【００７４】
一方、上記の例とは異なり、分岐電路Ｌｂ１から分岐した分岐電路Ｌｃ１，Ｌｃ２の２箇所において漏電が発生していた場合には、分岐電路Ｌｃ１を流れる漏れ電流の電流値が、分岐電路Ｌｃ２を流れる漏れ電流の分だけ、基幹電路Ｌａを流れる電流に対する誤差範囲を下回る。このため、分岐電路Ｌｂ１から分岐した分岐電路Ｌｃ１，Ｌｃ２の２箇所において漏電が発生しているときには、分岐電路Ｌｃ１についての測定値データＤ１ｂの電流値が、測定値データＤ１ａの電流値に対する誤差範囲を下回る値となる。したがって、携帯情報端末２Ｂの処理部２４は、分岐電路Ｌｃ１についての測定値データＤ１ｂの電流値が漏電発生時電流値以上であるものの、誤差範囲内の値ではないと判別し、「検出電流値が一致しません」とのメッセージを表示部２３に表示させる。
【００７５】
これにより、携帯情報端末２Ｂの表示部２３に表示されている分岐電路Ｌｃ１についての電流値、および上記のメッセージを見た作業者は、分岐電路Ｌｃ１において漏電が発生しているとの事項を認識すると共に、分岐電路Ｌｃ１において測定される漏れ電流の電流値が基幹電路Ｌａを流れている電流の電流値よりも小さいとの事項、すなわち、分岐電路Ｌｃ１以外の電路Ｌ（分岐電路Ｌｂ１自体、および／または、分岐電路Ｌｂ１から分岐した分岐電路Ｌｃ１以外の分岐電路Ｌｃのいずれか）においても漏電が発生しているとの事項を認識する。これにより、作業者によって分岐電路Ｌｃ１以外の分岐電路Ｌｃについての測定作業が行われたときに、分岐電路Ｌｃ２について測定された電流値に基づき、分岐電路Ｌｃ１，Ｌｃ２の２箇所において漏電が発生していることが特定される。
【００７６】
この場合、この種の「測定システム」を使用して漏電検査を行う測定対象Ｘにおいては、継続的な漏電だけでなく、一時的な漏電（いずれかの電路Ｌにおいて短時間だけ漏れ電流が流れるような漏電）が発生することがある。したがって、測定システム１００を使用した上記の漏電検査の手順に代えて、例えば、基幹電路Ｌａにおいて、いずかかの電路Ｌにおいて漏電が発生したと特定される電流値が測定されたときに、その電流値を書き出した紙片等を携行して、書き出した電流値と同程度の電流値が測定される分岐電路Ｌｂ，ｌｃを特定しようとしたときには、基幹電路Ｌａの設置場所から分岐電路Ｌｂ，Ｌｃの設置場所への移動中や、各分岐電路Ｌｂ，Ｌｃについての測定作業中に漏電が発生していない状態に移行してしまい、書き出した電流値と同程度の漏れ電流がいずれの電路Ｌにおいても測定されない状態となることがある。
【００７７】
これに対して、本例の測定システム１００では、測定装置１Ａによって測定される電流値の変化を、携帯情報端末２Ｂの表示部２３に表示された電流値の変化に基づいてリアルタイムに認識することができる。このため、例えば、いずれかの電路Ｌにおいて漏電が発生して基幹電路Ｌａにおいて漏電発生時電流以上の電流が検出され、各分岐電路Ｌｂ，Ｌｃについての電流値の測定作業（漏電発生箇所の特定）を行おうとして基幹電路Ｌａの設置場所から各分岐電路Ｌｂ，Ｌｃの設置場所へ移動している最中に漏電が発生していない状態に変化してしまっても、携帯情報端末２Ｂの表示部２３に表示された電流値の変化に基づき、漏電が発生しない状態に変化したことを認識することができる。これにより、漏電が発生していない状態に変化した後の各分岐電路Ｌｂ，Ｌｃについての不要な測定作業を行う必要がなくなる。
【００７８】
また、測定対象Ｘ内において常時漏電が発生している場合であっても、その漏電の規模（漏れ電流の大きさ）が逐次変化することもある。このため、前述したように基幹電路Ｌａにおいて測定された電流値を書き出した紙片等を携行して各分岐電路Ｌｂ，Ｌｃについての電流値の測定作業（漏電発生箇所の特定）を行っても、紙片に書き出した時点の基幹電路Ｌａの電流値と、分岐電路Ｌｂ，Ｌｃについての測定作業を実施した際の電流値とが相違することがある。一方、本例の測定システム１００では、測定装置１Ａによって逐次測定される電流値の測定値データＤ１ａが携帯情報端末２Ａから携帯情報端末２Ｂに繰り返し出力されて、携帯情報端末２Ｂにおいて基幹電路Ｌａの電流値がリアルタイムに更新されるため、分岐電路Ｌｂ，Ｌｃについて測定される最新の電流値と、基幹電路Ｌａにおいて測定された電流値とを正しく対比することが可能となっている。
【００７９】
また、この測定システム１００では、例えば、分岐電路Ｌｂ１、および分岐電路Ｌｂ１から分岐した各分岐電路Ｌｃだけを対象として使用することもできる。この際には、分岐電路Ｌｂ１を「上流側電路」として測定装置１Ａを分岐電路Ｌｂ１に装着すると共に、この測定装置１Ａからの測定値データＤ１ａが漏電発生時電流値以上であると携帯情報端末２Ｂにおいて判別されたときに、分岐電路Ｌｂ１から分岐している各分岐電路Ｌｃを「下流側電路」として測定装置１Ｂによって電流値の測定作業を順次実行すればよい。
【００８０】
この場合、本例の測定システム１００の構成に代えて、測定システム１００における測定装置１Ａに対応する「第１の測定装置」に、測定システム１００における携帯情報端末２Ａの機能（「第１の測定値データ」を「第２のデータ処理装置」に対して直接送信する機能）を付加して基幹電路Ｌａの電流値を「第２のデータ処理装置（携帯情報端末２Ｂ）」に表示させることで、上記の測定システム１００を用いた漏電検査時と同様に携帯情報端末２Ｂおよび測定装置１Ｂを携行して、基幹電路Ｌａの電流値を「第２のデータ処理装置」に表示させた状態で分岐電路Ｌｂ，Ｌｃについての測定作業を行うことができる。
【００８１】
また、本例の測定システム１００の構成に代えて、測定システム１００における測定装置１Ｂに対応する「第２の測定装置」に、測定システム１００における携帯情報端末２Ｂの機能（「第１の測定値データ」を取得して、その電流値を「第１の測定値データ」の電流値と共に表示する機能）を付加して基幹電路Ｌａの電流値を「第２の測定装置（測定装置１Ｂ）」に表示させることで、基幹電路Ｌａの電流値を「第２の測定装置」に表示させた状態で分岐電路Ｌｂ，Ｌｃについての測定作業を行うことができる。
【００８２】
しかしながら、「測定装置」において測定システム１００における携帯情報端末２Ａ，２Ｂによる上記の処理を実行可能とするには、それらの処理と並行して測定装置本来の処理を実行可能な高い処理能力を有する高価なＣＰＵを「処理部」として採用する必要が生じると共に、測定値データＤ１を送受信可能な通信モジュールを搭載する必要が生じる。この結果、そのような構成の「測定装置」では、製造コストが高騰すると共に、小形化が困難となる。したがって、測定システム１００による漏電検査のような使用形態での使用が不要な利用者（例えば、「測定装置」を単独で使用して任意の測定対象についての電流値を測定することを使用目的とする利用者）に対して、使用予定がない機能の付加による導入コストの高騰、および携帯性の低下との負担を強いることとなり、測定装置１の製品価値が低下するおそれがある。
【００８３】
これに対して、本例の測定システム１００では、測定値データＤ１の生成および外部装置への出力が可能な一般的な測定装置１を利用して、携帯情報端末２Ａ，２Ｂを加えることで上記の構成を実現している。このため、前述の各例のような使用形態での使用を希望する者は、２つの測定装置１と携帯情報端末２Ａ，２Ｂとを併用し、そのような使用形態での使用が不要な者は、測定装置１を通常の「測定装置」として単独で使用することができる。これにより、使用予定がない機能の付加による導入コストの高騰、および携帯性の低下を招くことがない測定装置１を各種の利用者に対して提供することができる。
【００８４】
このように、この測定システム１００では、基幹電路Ｌａについての電流値を測定して測定値データＤ１ａを生成し、生成した測定値データＤ１ａを携帯情報端末２Ａに出力する「第１の処理」を繰り返し実行可能に構成された測定装置１Ａと、分岐電路Ｌｂ，Ｌｃについての電流値を測定して測定値データＤ１ｂを生成し、生成した測定値データＤ１ｂを携帯情報端末２Ｂに出力する「第２の処理」を実行可能に構成された測定装置１Ｂと、測定装置１Ａから測定値データＤ１ａを取得して携帯情報端末２Ｂに出力する「第３の処理」を繰り返し実行可能に構成された携帯情報端末２Ａと、携帯情報端末２Ａから取得した測定値データＤ１ａに基づいて特定される基幹電路Ｌａについての電流値を表示部２３に表示させる「第４の処理」を繰り返し実行可能に構成されると共に、測定装置１Ｂから取得した測定値データＤ１ｂに基づいて特定される分岐電路Ｌｂ，Ｌｃについての電流値を表示部２３に表示させる「第５の処理」を実行可能に構成された携帯情報端末２Ｂとを備えている。また、このデータ処理用プログラムＤｐｂでは、上記のような測定システム１００における携帯情報端末２Ｂに対して、「第４の処理」を繰り返し実行させると共に「第５の処理」を実行させる。
【００８５】
したがって、この測定システム１００およびデータ処理用プログラムＤｐｂによれば、測定装置１Ａによって測定される基幹電路Ｌａについての最新の電流値が、測定装置１Ｂによって測定される分岐電路Ｌｂ，Ｌｃについての電流値と共に携帯情報端末２Ｂに表示されるため、この携帯情報端末２Ｂを測定装置１Ｂと共に携行して分岐電路Ｌｂ，Ｌｃの設置場所に移動することで、分岐電路Ｌｂ，Ｌｃの設置場所において、携帯情報端末２Ｂに表示される基幹電路Ｌａについての最新の電流値および分岐電路Ｌｂ，Ｌｃについての電流値を容易に比較することができる。これにより、漏電が発生している電路Ｌ（基幹電路Ｌａにおいて測定される被測定量に関連する被測定量が測定さる電路）を確実かつ容易に特定することができ、不要な測定作業を行わなくて済む分だけ、一連の測定作業に要する時間を充分に短縮することができる。また、基幹電路Ｌａについての電流値および分岐電路Ｌｂ，Ｌｃについての電流値の双方を把握する際に、携帯情報端末２Ｂの表示部２３および測定装置１Ｂの表示部１３を交互に見ることなく、携帯情報端末２Ｂの表示部２３を見るだけで両電流値を容易に把握することができるため、作業者の負担を充分に軽減することができる。
【００８６】
また、この測定システム１００では、携帯情報端末２Ｂが、測定値データＤ１ａに基づいて特定される基幹電路Ｌａについての電流値が「予め規定された第１の報知基準を満たす値（本例では、漏電発生時電流値以上の値）」のときに、基幹電路Ｌａについての電流値が「第１の報知基準」を満たす値であることを特定可能に報知する「第６の処理」を実行する。したがって、この測定システム１００およびデータ処理用プログラムＤｐｂによれば、携帯情報端末２Ｂに表示される基幹電路Ｌａについての電流値を読み取ってどの程度の大きさの値であるかを判断する行為を行うことなく、基幹電路Ｌａについての電流値が「予め規定された第１の報知基準を満たす値」であるか否かを端的に把握することができるため、作業者の負担を一層軽減することができる。
【００８７】
さらに、この測定システム１００では、携帯情報端末２Ｂが、測定値データＤ１ｂに基づいて特定される分岐電路Ｌｂ，Ｌｃについての電流値が、測定値データＤ１ａに基づいて特定される基幹電路Ｌａについての電流値に対する「予め規定された第２の報知基準を満たす値（本例では、予め規定された誤差範囲内で一致する値）」のときに、分岐電路Ｌｂ，Ｌｃについての電流値が「第２の報知基準」を満していることを特定可能に報知する「第７の処理」を実行する。したがって、この測定システム１００およびデータ処理用プログラムＤｐｂによれば、携帯情報端末２Ｂに表示される基幹電路Ｌａについての電流値および分岐電路Ｌｂ，Ｌｃについての電流値をそれぞれ読み取って両値を比較する行為を行うことなく、分岐電路Ｌｂ，Ｌｃについての電流値が基幹電路Ｌａについての電流値に対する「予め規定された第２の報知基準を満たす値」であるか否かを端的に把握することができるため、作業者の負担を一層軽減することができる。
【００８８】
また、この測定システム１００によれば、携帯情報端末２Ａ，２Ｂの間に無線通信路が介在するように構成したことにより、有線通信路だけで「測定システム」を構成した場合と比較して、無線通信路を介在させた分だけ、携帯情報端末２Ａ，２Ｂを大きく離間させて使用することができる。これにより、携帯情報端末２Ａに対して測定値データＤ１ａを出力する測定装置１Ａと、携帯情報端末２Ｂに対して測定値データＤ１ｂを出力する測定装置１Ｂとを大きく離間させることができるため、測定装置１Ａを装着する基幹電路Ｌａに対して大きく離間した位置に配設されている電路Ｌについて測定装置１Ｂによって電流値を測定することができるため、各種の測定対象Ｘを対象とする測定を行うことができる。また、有線通信路（信号ケーブル等）で「第１のデータ処理装置」および「第２のデータ処理装置」を接続した構成と比較して、無線通信路を介在させたことで携帯情報端末２Ｂの移動可能範囲が拡がるため、作業者の負担を一層軽減することができる。
【００８９】
なお、「測定システム」の構成、および「データ処理用プログラム」による処理手順については、上記の測定システム１００の構成、並びにデータ処理用プログラムＤｐｂによる処理手順の例に限定されない。
【００９０】
例えば、「第１の処理装置」に相当する携帯情報端末２Ａと「第２の処理装置」に相当する携帯情報端末２Ｂとが移動体データ通信網Ｎ１およびインターネットＮ２を介して測定値データＤ１ａを直接送受信する構成を例に挙げて説明したが、このような構成に代えて、例えば、インターネットＮ２に常時接続されたデータサーバを用意し、携帯情報端末２Ａ，２Ｂがデータサーバを介して測定値データＤ１ａを送受信する構成を採用することもできる。具体的には、携帯情報端末２Ａがデータサーバに対して測定値データＤ１ａを送信したときに、データサーバがその測定値データＤ１ａを携帯情報端末２Ｂに対して転送するように構成することで、上記の測定システム１００の運用時と同様に使用することができる。
【００９１】
また、「上流側電路」についての被測定量を測定する「第１の測定装置」から「第１の測定値データ」を取得する「第１のデータ処理装置」については、「上流側電路」についての被測定量を継続的に測定する「第１の測定装置」の近傍に配置されていればよい。このため、この「第１のデータ処理装置」については、上記の測定システム１００における携帯情報端末２Ａのような「携帯情報端末」に代えて、設置型のパーソナルコンピュータを採用することもできる。
【００９２】
さらに、携帯情報端末２Ａ，２Ｂ間だけでなく、測定装置１Ａと携帯情報端末２Ａとの間、および測定装置１Ｂと携帯情報端末２Ｂとの間にも無線通信路が介在する構成の測定システム１００を例に挙げて説明したが、このような構成に代えて、「第１の測定装置」と「第１のデータ処理装置」とを有線接続したり（「第１の測定装置」と「第１のデータ処理装置」との間に無線通信路が介在しない構成）、「第２の測定装置」と「第２のデータ処理装置」とを有線接続したり（「第２の測定装置」と「第２のデータ処理装置」との間に無線通信路が介在しない構成）することもできる。
【００９３】
また、測定装置１Ａによって測定された基幹電路Ｌａについての測定値が漏電発生時電流値以上のときに「漏電検出中」とのメッセージ等を表示させる「第６の処理」を実行する構成・処理方法を例に挙げて説明したが、このような構成・処理方法に代えて、測定装置１Ａによって測定された基幹電路Ｌａについての測定値が漏電発生時電流値を下回っているときにその旨を特定可能なメッセージを表示させたり報知音を出力したりする構成・処理方法を採用することもできる。
【００９４】
さらに、各電路Ｌを流れる電流（漏電発生時の漏れ電流）の電流値を測定する構成を例に挙げて説明したが、「被測定量」はこの例に限定されず、各電路Ｌに接続された負荷に対する電力供給時に各電路Ｌを流れる電流の電流値を「被測定量」として測定したり、各電路Ｌに接続された負荷によって消費される「電力（瞬時値）」を「被測定量」として測定したりする「測定システム」においても、上記の各種例示のような構成を採用することができる。
【符号の説明】
【００９５】
１００  測定システム
１Ａ，１Ｂ  測定装置
２  携帯情報端末
１０  測定部
１０ａ  クランプセンサ
１１，２１ａ，２１ｂ  通信部
１２，２２  操作部
１３，２３  表示部
１４，２４  処理部
１５，２５  記憶部
Ｄ１ａ，Ｄ１ｂ  測定値データ
Ｄｐａ，Ｄｐｂ  データ処理用プログラム
Ｌａ  基幹電路Ｌａ
Ｌｂ１，Ｌｂ２・・，Ｌｃ１，Ｌｃ２・・  分岐電路
Ｎ１  移動体データ通信網
Ｎ２  インターネット
Ｘ  測定対象
【図１】
2020060492.tif 000003
【図２】
2020060492.tif 000004
【図３】
2020060492.tif 000005